(57)【特許請求の範囲】
【請求項１】
レーザー光源と、
前記レーザー光源から出射されたレーザー光を像保持体上に走査させる走査手段と、
前記レーザー光源及び前記走査手段を駆動する駆動回路が搭載され、前記レーザー光源及び前記走査手段が収容された筐体に取り付けられた基板と、
前記基板に設けられた接地用電極と、前記筐体に設けられた導通性の被支持部材と、を導通させる導通部材と、
を備えた光走査装置と、
画像形成装置本体の筐体にフレームグランドとして接地された導通性の支持部であって、前記光走査装置が挿入されて前記被支持部材を支持することにより、前記レーザー光源及び前記走査手段が収容された筐体に取り付けられた前記基板に設けられた接地用電極と導通する支持部と、
を備えた画像形成装置。
【請求項２】
前記被支持部材は、ねじ穴が設けられた導通性の柱状部材から成り、ねじが前記導通部材の一端を介して前記ねじ穴に嵌められ、前記導通部材の他端が前記接地用電極に接続された
請求項１記載の画像形成装置。
【請求項３】
前記光走査装置を装置本体の上方から取り付けるために前記装置本体の上方を開閉する開閉手段
を備えた請求項１又は請求項２記載の画像形成装置。
【請求項４】
前記支持部は、画像形成装置本体の筐体に設けられ且つ前記光走査装置が装置本体の予め定めた取付位置に取り付けられるように前記光走査装置の前記被支持部材を支持する支持部材と、画像形成装置本体の筐体に設けられ且つ前記被支持部材を前記支持部材に押し付ける押付部材と、を含み、前記支持部材及び前記押付部材の少なくとも一方が導通性を有する
請求項１〜３の何れか１項に記載の画像形成装置。
【発明の詳細な説明】
【技術分野】
【０００１】
本発明は、画像形成装置に関する。
【背景技術】
【０００２】
特許文献１には、レーザー光源と、このレーザー光源からのレーザー光を偏向し被走査面上に露光走査させるための走査光学系とを収容した絶縁性を有する箱体、及びこの箱体の上面開口を塞ぐ金属製の蓋体よりなり、画像形成装置のベースフレームに取り付けられるレーザースキャニングユニットにおいて、前記箱体における前記ベースフレームに対しての取付け部の底壁上に下端部が配置され、上端部が前記蓋体の内面に圧接された金属板を備えており、この金属板の前記下端部が、前記ベースフレームに対し前記取付け部の前記底壁とともに金属製のネジで締結されることを特徴とするレーザースキャニングユニットが開示されている。
【０００３】
特許文献２には、レーザー光を出射させるための半導体レーザーユニットと、該半導体レーザーユニットから出射されたレーザー光を偏向走査するポリゴンミラーと、該ポリゴンミラーによって偏向されたレーザー光を結像して感光体ドラムに走査する走査レンズとを有し、これらの光学系部材を光学箱に収容し該光学箱の内部をフタ部材で密閉してなる偏向走査装置において、前記光学箱を樹脂材料で形成し、該樹脂材料で形成された光学箱の全表面に、金属メッキによる導通可能な金属被膜を形成したことを特徴とする偏向走査装置が開示されている。
【０００４】
特許文献３には、光源部と、偏向ミラーをスキャナモータ等によって高速回転させ該光源部からの光束を偏向する偏向器と、該偏向器により偏向された光束を所定面上に集光するレンズ等を備え、これらを収納した光学箱に金属製の蓋をネジで固定してなる走査光学装置であって、該ネジの少なくとも１つは前記光学箱を貫通してその先端が接地された金属の光学台に当接する軸部を備え、該光学台に前記走査光学装置を取り付けた際、該軸部先端の該光学台への当接によって該金属製の蓋を接地するように構成したことを特徴とする走査光学装置が開示されている。
【先行技術文献】
【特許文献】
【０００５】
【特許文献１】特開２００５−９１５４２号公報
【特許文献２】特開平１１−２０２２４０号公報
【特許文献３】特開平１１−２３１２５０号公報
【発明の概要】
【発明が解決しようとする課題】
【０００６】
本発明の課題は、光走査装置を画像形成装置本体に取り付ける作業のみにより、光走査装置の駆動回路を搭載した基板の接地用電極を画像形成装置本体のフレームに接地させることができる画像形成装置を得ることである。
【課題を解決するための手段】
【０００７】
本発明の請求項１に係る画像形成装置は、レーザー光源と、前記レーザー光源から出射されたレーザー光を像保持体上に走査させる走査手段と、前記レーザー光源及び前記走査手段を駆動する駆動回路が搭載され、前記レーザー光源及び前記走査手段が収容された筐体に取り付けられた基板と、前記基板に設けられた接地用電極と、前記筐体に設けられた導通性の被支持部材と、を導通させる導通部材と、を備えた光走査装置と、画像形成装置本体の筐体にフレームグランドとして接地された導通性の支持部であって、前記光走査装置が挿入されて前記被支持部材を支持することにより、前記レーザー光源及び前記走査手段が収容された筐体に取り付けられた前記基板に設けられた接地用電極と導通する支持部と、を備える。
【０００８】
本発明の請求項２に係る画像形成装置は、前記被支持部材は、ねじ穴が設けられた導通性の柱状部材から成り、ねじが前記導通部材の一端を介して前記ねじ穴に嵌められ、前記導通部材の他端が前記接地用電極に接続されたものである。
【０００９】
本発明の請求項３に係る画像形成装置は、前記光走査装置を装置本体の上方から取り付けるために前記装置本体の上方を開閉する開閉手段を備える。
【００１０】
本発明の請求項４に係る画像形成装置は、前記支持部は、画像形成装置本体の筐体に設けられ且つ前記光走査装置が装置本体の予め定めた取付位置に取り付けられるように前記光走査装置の前記被支持部材を支持する支持部材と、画像形成装置本体の筐体に設けられ且つ前記被支持部材を前記支持部材に押し付ける押付部材と、を含み、前記支持部材及び前記押付部材の少なくとも一方が導通性を有する。
【発明の効果】
【００１１】
本発明の請求項１の画像形成装置によれば、レーザー光源及び走査手段が収容された筐体に取り付けられた基板に設けられた接地用電極と、画像形成装置本体の導通性の支持部とを直接接続して導通させる場合と比較して、光走査装置を画像形成装置本体に取り付ける作業のみにより、光走査装置の駆動回路を搭載した基板の接地用電極を画像形成装置本体のフレームに接地させることができる、という効果を有する。
【００１２】
本発明の請求項２の画像形成装置によれば、導通部材を被支持部材に接触させるだけの場合と比較して、基板の接地用電極を確実に画像形成装置本体のフレームに接地させることができる、という効果を有する。
【００１３】
本発明の請求項３の画像形成装置によれば、レーザー光源及び走査手段が収容された筐体に取り付けられた基板に設けられた接地用電極と、画像形成装置本体の導通性の支持部材とを直接接続して導通させる場合と比較して、光走査装置を画像形成装置本体に取り付ける作業のみにより、光走査装置の駆動回路を搭載した基板の接地用電極を画像形成装置本体のフレームに接地させることができる、という効果を有する。
【００１４】
本発明の請求項４の画像形成装置によれば、支持部が、被支持部材を支持部材に押し付ける押付部材を有さない場合と比較して、基板の接地用電極を画像形成装置本体のフレームに確実に接地させることができる、という効果を有する。
【図面の簡単な説明】
【００１５】
【図１】本発明の実施形態に係る画像形成装置の全体を示した概略構成図である。
【図２】本発明の実施形態に係る画像形成装置に採用された露光装置を示した斜視図である。
【図３】本発明の実施形態に係る画像形成装置に採用された露光装置を示した斜視図である。
【図４】本発明の実施形態に係る画像形成装置に採用された露光装置が装置本体に固定された状態を示した斜視図である。
【図５】本発明の実施形態に係る画像形成装置に採用された露光装置が装置本体に固定された状態の一部拡大図である。
【図６】本発明の実施形態に係る画像形成装置に採用された露光装置が装置本体に固定された状態を示した斜視図である。
【図７】本発明の実施形態に係る画像形成装置に採用された露光装置が装置本体に固定された状態を示した斜視図である。
【図８】本発明の実施形態に係る画像形成装置に採用された露光装置が装置本体に固定された状態を示した斜視図である。
【図９】本発明の実施形態に係る画像形成装置に採用された露光装置を装置本体に装着する方法を示した側面図である。
【図１０】本発明の実施形態に係る画像形成装置に採用された露光装置を装置本体に装着する方法を示した側面図である。
【図１１】本発明の実施形態に係る画像形成装置に採用された露光装置を装置本体に装着した状態を示した側面図である。
【図１２】本発明の実施形態に係る画像形成装置の全体を示した概略構成図である。
【図１３】本発明の実施形態に係る画像形成装置の露光装置周辺を示した概略構成図である。
【図１４】本発明の実施形態に係る画像形成装置に採用された露光装置が装置本体に固定された状態を示した斜視図である。
【図１５】本発明の実施形態に係る画像形成装置に採用された露光装置が装置本体に固定された状態を示した斜視図である。
【図１６】本発明の実施形態に係る画像形成装置に採用された露光装置が装置本体に固定された状態を示した斜視図である。
【図１７】本発明の実施形態に係る画像形成装置に採用された露光装置を装置本体に装着する方法を示した側面図である。
【図１８】本発明の実施形態に係る画像形成装置に採用された露光装置を装置本体に装着する方法を示した側面図である。
【図１９】本発明の実施形態に係る画像形成装置に採用された露光装置を装置本体に装着した状態を示した側面図である。
【図２０】本発明の実施形態に係る画像形成装置に採用された露光装置を装置本体に固定する固定方法を示した拡大斜視図である。
【図２１】本発明の実施形態に係る画像形成装置に採用された露光装置を装置本体に固定する固定方法を示した拡大斜視図である。
【図２２】本発明の実施形態に係る画像形成装置に採用された露光装置が装置本体に固定された状態を示した斜視図である。
【発明を実施するための形態】
【００１６】
本発明の実施形態に係る画像形成装置の一例を図面を参照して説明する。
【００１７】
図１には、本実施形態に係る画像形成装置の構成図を示した。同図に示すように、画像形成装置２００の装置本体２００Ａに固定された露光装置４０の上方には、画像形成部の一例としての各色の画像形成ユニット２０８Ｙ、Ｍ、Ｃ、Ｋが傾斜してこの順で並んで設けられている。なお、以下の説明では、各色を区別する場合には符号に各色に対応する文字（Ｙ、Ｍ、Ｃ、Ｋ）を付加し、特に区別しない場合には各色に対応する文字を省略する。
【００１８】
そして、各色の画像形成ユニット２０８には、露光装置４０から出射される光で表面が露光されて潜像が形成される像保持体２０４と、潜像が形成される前の像保持体２０４の表面を一様に帯電する帯電部材２０２と、像保持体２０４の表面に形成された潜像をトナー画像で可視化する現像器２０６とが設けられている。
【００１９】
さらに、画像形成ユニット２０８の像保持体２０４の上側には、各色の像保持体２０４と接する転写ベルトの一例としての中間転写ベルト２１０が複数個の支持ロール２１８に巻き掛けられて設けられている。
【００２０】
また、中間転写ベルト２１０を挟んで像保持体２０４の反対側には、像保持体２０４の表面に形成されたトナー画像を中間転写ベルト２１０に転写するための一次転写部材２０５が設けられている。
【００２１】
また、露光装置４０の下方には、記録シートＰが収容された給紙部２１２が設けられ、さらに、給紙部２１２に収納された記録シートＰを搬送経路２０３に沿って搬送する複数個の搬送ローラ２１４が設けられている。
【００２２】
そして、搬送経路２０３上には、中間転写ベルト２１０を一端部（紙面右端部）に設けられた支持ロール２１８との間で挟むように、中間転写ベルト２１０に一次転写されたトナー画像を記録シートＰに転写するための二次転写部材２１６が設けられている。
【００２３】
また、二次転写部材２１６に対して記録シートＰの搬送方向の下流側には、記録シートＰに転写されたトナー画像を記録シートＰに定着させる定着装置２２０、及びトナー画像が定着された記録シートＰを外部へ排出する排出ロール２２２が設けられている。
【００２４】
一方、露光装置４０に対して水平方向に並んで、画像形成ユニット２０８等に電力を供給する電源部２２８が設けられている。
【００２５】
次に、露光装置４０について説明する。
【００２６】
図１に示されるように、露光装置４０の筐体１２２の内部には、各色の像保持体３４に光を照射して像保持体３４の表面を露光する光学系１２０が設けられている。
【００２７】
そして、光学系１２０には、レーザー光を出射する半導体レーザー等のレーザー光源（図示省略）と、この光源により出射された光を反射偏向する回転多面鏡であるポリゴンミラー１２４と、ポリゴンミラー１２４よって反射された光を透過させるレンズ１２６と、レンズ１２６を透過した光を反射させて各像保持体３４の表面を露光させるミラー１２８とが設けられている。
【００２８】
また、露光装置４０の筐体１２２の一端側（図１に示す右側）は、先細りとなっており、この一端側が低位置となることで露光装置４０が水平方向に対して傾斜するように配置されている。本実施例では、一例として、筐体１２２の内部に収容されるポリゴンミラー１２４等を他端側（図１に示す左側）に配置することで一端側が先細りとされるようになっている。
【００２９】
このように、低位置側となる筐体１２２の一端側を先細りとすることで、露光装置４０を傾斜させて配置しても露光装置４０の下側に生じる無駄な三角空間１３８が少なくなるようになっている。
【００３０】
さらに、筐体１２２の下面は、一端側に設けられた第１の下面１４４Ａと、他端側に設けられた第２の下面１４４Ｂと、第１の下面１４４Ａと第２の下面１４４Ｂの間に設けられた第３の下面１４４Ｃとから構成されている。
【００３１】
ここで、本実施形態の露光装置４０は、前述した装置本体２００Ａに取り付けられる場合の第１の傾斜角度（図１参照）と、装置本体１０Ａに取り付けられる場合の第２の傾斜角度（図１３参照）とで、それぞれ装置本体２００Ａと装置本体１０Ａに取り付けられるようになっている。
【００３２】
そして、図１で示されるように、第１の傾斜角度で露光装置４０が装置本体２００Ａに取り付けられる場合は、第１の下面１４４Ａが装置本体２００Ａの底板２０１と平行になり、図１３で示されるように、第２の傾斜角度で露光装置４０が装置本体１０Ａに取り付けられる場合は、第３の下面１４４Ｃが装置本体２００Ａの底板１１（図１２参照）と平行となるようになっている。
【００３３】
さらに、図１、図１３に示されるように、筐体１２２は、第１の傾斜角度及び第２の傾斜角度で筐体１２２を装置本体２００Ａ、１０Ａに取り付けても筐体１２２の最下端となる最下端部１３２を有する。本実施形態では、最下端部１３２は、第１の下面１４４Ａと第３の下面１４４Ｃとの間に位置する。
【００３４】
また、図２に示されるように、第１の下面１４４Ａと第３の下面１４４Ｃの凹んだ部分から、先細りとなる筐体１２２の一端側を補強するように、板状の補強部材１３０が突出して設けられており、この補強部材１３０の突出端１３０Ａは、第１の下面１４４Ａ及び第３の下面１４４Ｃを形成している。
【００３５】
図１に示されるように、第１の傾斜角度で取り付けられた筐体１２２の一端側には、この最下端部１３２よりも上方に配置され、筐体１２２を装置本体２００Ａに取り付ける一端側取付部の一例としての円柱状のシャフト部材１３４が設けられている。また、このシャフト部材１３４は、装置本体２００Ａの奥行方向（図１に示す紙面垂直方向）に延び、シャフト部材１３４の両端は、奥行方向において筐体１２２から外側に突出するように設けられている。
【００３６】
そして、このシャフト部材１３４は、筐体１２２の上面１２７の仮想延長面１４０と、第１の下面１４４Ａの仮想延長面１４２との間に配置され、筐体１２２の一端側に設けられる２個のブラケット部材１３６（図２、図３参照）によって筐体１２２に固定されている。
【００３７】
また、図１に示されるように、露光装置４０の筐体１２２の他端側（図１に示す左側）であって、筐体１２２の下面１４４Ｂの凹部１４５には、前述した最下端部１３２よりも上方に配置され、筐体１２２を装置本体２００Ａに取り付ける他端側取付部の一例としての円柱状で金属製のシャフト部材１４６が奥行方向に延びて設けられている。
【００３８】
そして、図２に示されるように、シャフト部材１４６は、筐体１２２の凹部１４５に設けられた２個のブラケット部材１４８によって筐体１２２に固定され、シャフト部材１４６の両端は、奥行方向において筐体１２２から外側に突出するように設けられている。
【００３９】
なお、シャフト部材１３４及びシャフト部材１４６は、一端側取付部及び他端側取付部の一例であり、この実施形態では、装置本体に対して取り付けられる円柱状のシャフトである。つまり、装置本体に取り付けられれば円柱状のシャフトに限定されるものではなく、例えば、角柱状のシャフトでもよいし、また、シャフトに限らず、装置本体に取り付けられるブラケット等の部材であってもよい。
【００４０】
また、図４に示すように、筐体１２２の後面の凹んだ部分の右下部分には、露光装置４０の図示しない光源やポリゴンミラー１２４等を駆動するための駆動回路が搭載された基板３００が取り付けられている。図５に示すように、基板３００には、前記駆動回路を接地させるための接地用電極３０２が設けられており、接地用電極３０２の中央部には、ねじ３０４を通すための穴３０６が設けられている。そして、穴３０６の先の筐体１２２には、ねじ３０４を嵌めるための図示しないねじ穴が設けられている。
【００４１】
また、図５に示すように、シャフト部材１４６には、ねじ３０８を嵌めるためのねじ穴３１０が設けられている。
【００４２】
基板３００の接地用電極３０２とシャフト部材１４６とは、ハーネス３１２によって接続される。ハーネス３１２は、例えば銅線等を被覆した線材の両端に金属製のワッシャー３１２Ａ、３１２Ｂが取り付けられた構成である。
【００４３】
そして、ねじ３０４は、ハーネス３１２の一端側のワッシャー３１２Ａ及び穴３０６を通って筐体１２２側に設けられた図示しないねじ穴に嵌めこまれ、ねじ３０８は、ハーネス３１２の他端側のワッシャー３１２Ａ及びブラケット部材１４８に設けられた穴１４８Ａを通ってシャフト部材１４６のねじ穴３１０に嵌めこまれる。これにより、接地用電極３０２とシャフト部材１４６とが導通する。
【００４４】
なお、本実施形態では、シャフト部材１４６がブラケット部材１４８によって筐体１２２に固定された構成について説明したが、シャフト部材１４６の両端側に貫通穴を各々設けると共に、筐体２００Ａの前記貫通穴に対応する位置にねじ穴を各々設け、ねじをシャフト部材１４６の貫通穴を通して筐体２００Ａのねじ穴に各々ねじ込むことにより、ブラケット部材１４８を介さずにシャフト部材１４６を筐体２００Ａに固定するようにしてもよい。
【００４５】
次に、露光装置４０がどのように装置本体２００Ａに取り付けられているかを説明する。
【００４６】
図６、図７、図８に示されるように、筐体１２２の一端側に固定されたシャフト部材１３４の両端側は、装置本体２００Ａ（図１参照）に設けられた２個の取付具２３０によって装置本体２００Ａに取り付けられている。さらに、筐体１２２の他端側に固定されたシャフト部材１４６の両端側は、装置本体２００Ａに設けられた２個の取付具２４０によって装置本体２００Ａに取り付けられている。
【００４７】
そして、図１、図１１に示されるように、取付具２３０、２４０によって第１の傾斜角度で画像形成装置２００に取り付けられた露光装置４０のシャフト部材１３４及びシャフト部材１４６は、筐体１２２の最下端部１３２よりも上方に配置されている。
【００４８】
詳細には、図７、図１１に示されるように、取付具２３０は、シャフト部材１３４を支持する支持部材２３２と、この支持部材２３２にボルト２３８によって脱着自在に固定されると共に支持部材２３２に支持されたシャフト部材１３４を上方から支持部材２３２に向けて押し付ける押付部材２３４とを備えている。
【００４９】
さらに、この押付部材２３４は、シャフト部材１３４を直に支持部材２３２に向けて押し付けるバネ鋼で成形された押付部２３４Ａと、この押付部２３４Ａを保持する保持部２３４Ｂとを備えている。
【００５０】
これに対し、図８、図１１に示されるように、取付具２４０は、シャフト部材１４６を支持するＵ溝２４２Ａが形成された支持部材２４２と、この支持部材２４２にボルト２４６によって脱着自在に固定されると共に支持部材２４２に支持されたシャフト部材１４６を上方から支持部材２４２に向けて押し付ける押付部材２４４とを備えている。
【００５１】
また、この押付部材２４４は、シャフト部材１４６を直に支持部材２４２に向けて押し付けるバネ鋼で成形された押付部２４４Ａと、この押付部２４４Ａを保持する保持部２４４Ｂとを備えている。
【００５２】
次に、この露光装置４０を装置本体２００Ａに装着する方法について説明する。
【００５３】
図１に示すように、装置本体２００Ａの上部に設けられた開閉部３２０は、中心軸３２２を中心に図中矢印Ｂ方向に回転するようにして装置本体２００Ａに対して開閉する。ここで、中間転写ベルト２１０等を含む中間転写ユニットは、開閉部３２０の開閉に伴って開閉部３２０と一体的に移動する。
【００５４】
図１、図９、図１０に示されるように、露光装置４０は、開閉部３２０を開放することで、上方から装置本体２００Ａに装着されるが、図１に示すように、露光装置４０と電源２２８との間は非常に狭い。このため、図４、５に示すように、露光装置４０を取り付けやすくするために、露光装置４０の筐体１２２の後面の中央上部に把持部３２４が設けられている。
【００５５】
露光装置４０の装置本体２００Ａへの装着は、まず露光装置４０を上方から装置本体２００Ａに挿入し、シャフト部材１３４を支持部材２３２に載せ、シャフト部材１４６を支持部材２４２に形成されたＵ溝２４２Ａに挿入する。
【００５６】
さらに、図１１に示されるように、押付部材２３４をボルト２３８によって支持部材２３２に固定し、シャフト部材１３４を支持部材２３２に押し付ける。さらに、押付部材２４４をボルト２４６で支持部材２４２に固定し、シャフト部材１４６を支持部材２４２に押し付ける。これにより、第１の傾斜角度で露光装置４０が装置本体２００Ａに取り付けられる。
【００５７】
ここで、例えば装置本体２００Ａの筐体が金属の部材により構成し、支持部材２４２も金属の部材で構成した場合には、金属製のシャフト部材１４６が金属性の支持部材２４２に支持されることにより、基板３００の接地用電極３０２は、ハーネス３１２及びシャフト部材１４６を介して装置本体２００Ａの筐体にフレームグランドとして接地される。この場合、押付部材２４４は金属の部材で構成してもよいし、樹脂の部材で構成してもよい。
【００５８】
また、例えば、装置本体２００Ａの筐体が樹脂の部材により構成し、支持部材も樹脂の部材で構成した場合には、押付部材２４４を金属の部材で構成することにより、押付部材２４４により金属製のシャフト部材１４６が押付けられるので、基板３００の接地用電極３０２がハーネス３１２及びシャフト部材１４６を介して装置本体２００Ａの筐体にフレームグランドとして接地される。
【００５９】
このように、露光装置４０を装置本体２００Ａに装着することにより、基板３００の接地用電極３０２がハーネス３１２及びシャフト部材１４６を介して装置本体２００Ａの筐体にフレームグランドとして接地される。
【００６０】
露光装置４０を取り付けた後は、画像形成ユニット２０８を上方から装置本体２００Ａに装着し、開閉部３２０を閉める。
【００６１】
なお、露光装置４０を装置本体２００Ａから取り外す場合は、装着の場合と逆の作業を行えばよい。
【００６２】
次に、この露光装置４０が第１の傾斜角度とは異なる第２の傾斜角度で取り付けられる画像形成装置１０について説明する。
【００６３】
図１２には、第１の傾斜角度に対して小さな傾斜角度である第２の傾斜角度で取り付けられた露光装置４０を備えた画像形成装置１０が示されている。
【００６４】
図１２に示されるように、本実施形態に係る画像形成装置１０の装置本体１０Ａの上部には、複数枚の読取原稿Ｇを一枚ずつ自動で搬送する自動原稿搬送装置１２と、一枚の読取原稿Ｇが載せられるプラテンガラス１６と、自動原稿搬送装置１２によって搬送された読取原稿Ｇ又はプラテンガラス１６に載せられた読取原稿Ｇを読み取る原稿読取装置１４とが設けられている。
【００６５】
この原稿読取装置１４には、自動原稿搬送装置１２によって搬送された読取原稿Ｇ又はプラテンガラス１６に載せられた読取原稿Ｇに光を照射する光源１８が設けられている。
【００６６】
さらに、原稿読取装置１４には、光源１８によって照射されて読取原稿Ｇから反射された反射光をプラテンガラス１６と平行な方向に反射させるフルレートミラー２０と、フルレートミラー２０によって反射した反射光を下方へ反射させるハーフレートミラー２２と、ハーフレートミラー２２によって反射した反射光をプラテンガラス１６と平行な方向に反射させて折り返すハーフレートミラー２４と、ハーフレートミラー２４によって折り返された反射光が入射される結像レンズ２６と、から構成される光学系が設けられている。
【００６７】
また、原稿読取装置１４には、結像レンズ２６によって結像された反射光を電気信号に変換する光電変換素子２８が設けられ、さらに、光電変換素子２８によって変換された電気信号を画像処理する画像処理装置２９が設けられている。
【００６８】
そして、光源１８、フルレートミラー２０、ハーフレートミラー２２及びハーフレートミラー２４は、プラテンガラス１６に沿って移動可能となっている。プラテンガラス１６に載せられた読取原稿Ｇを読み取る場合には、光源１８、フルレートミラー２０、ハーフレートミラー２２及びハーフレートミラー２４を移動させながら、光源１８がプラテンガラス１６に載せられた読取原稿Ｇに光を照射し、読取原稿Ｇから反射された反射光が光電変換素子２８へ結像するようになっている。
【００６９】
また、自動原稿搬送装置１２によって搬送された読取原稿Ｇを読み取る場合には、光源１８、フルレートミラー２０、ハーフレートミラー２２及びハーフレートミラー２４は、決められた位置に停止して、自動原稿搬送装置１２によって搬送された読取原稿Ｇに光源１８が光を照射し、読取原稿Ｇから反射された反射光が光電変換素子２８へ結像するようになっている。
【００７０】
一方、装置本体１０Ａの上下方向中央部には、互いに異なった色のトナー画像を形成すると共に、水平方向に対して傾斜した状態に並んで配置される画像形成部の一例としての複数個の画像形成ユニット３０が設けられている。さらに、画像形成ユニット３０の上側には、回転駆動する駆動ロール４８、張力を付与する張力付与ロール５４、従動回転する支持ロール５０、第１のアイドラーロール５６、第２のアイドラーロール５８に巻き掛けられる転写ベルトの一例としての無端状の中間転写ベルト３２が設けられている。そして、中間転写ベルト３２が図中矢印Ａ方向に循環駆動しながら各色の画像形成ユニット３０で形成されたトナー画像が中間転写ベルト３２に転写されるようになっている。
【００７１】
詳細には、図１３に示されるように、イエロー（Ｙ）、マゼンタ（Ｍ）、シアン（Ｃ）、黒（Ｋ）の４つの画像形成ユニット３０Ｙ、３０Ｍ、３０Ｃ、３０Ｋがこの順で設けられている。そして、最初に中間転写ベルト３２に転写されるイエロー（Ｙ）のトナー画像が形成される画像形成ユニット３０Ｙが最も高く位置に、最後に中間転写ベルト３２に転写される黒（Ｋ）のトナー画像が形成される画像形成ユニット３０Ｋが最も低く位置に設けられ、画像形成ユニット３０Ｙ、３０Ｍ、３０Ｃ、３０Ｋは水平方向に対して決められた角度だけ斜めに傾斜した状態で一定の間隔を隔てて並べられている。
【００７２】
これらの４つの画像形成ユニット３０Ｙ、３０Ｍ、３０Ｃ、３０Ｋは、基本的に、同様に構成されている。なお、以下の説明では、各色を区別する場合には符号に各色に対応する文字（Ｙ、Ｍ、Ｃ、Ｋ）を付加し、特に区別しない場合には各色に対応する文字を省略する。
【００７３】
各色の画像形成ユニット３０には、図示しない駆動手段によって矢印Ｄ方向に回転する像保持体３４が設けられ、さらに、この像保持体３４の表面を一様に帯電する帯電用の帯電部材３６が設けられている。
【００７４】
また、画像形成ユニット３０の下方には、帯電部材３６によって表面が一様に帯電した像保持体３４の表面に決められた色に対応した光を露光して静電潜像を形成させる露光装置４０が複数個の画像形成ユニット３０に沿うように傾斜して配置されている。さらに、帯電部材３６に対して像保持体３４の回転方向の下流側には、像保持体３４の表面に形成された静電潜像を決められた色のトナーで現像して可視化させる現像部材の一例としての現像器４２が設けられている。
【００７５】
そして、露光装置４０に対して水平方向に並んで、画像形成ユニット３０等に電力を供給する電源部４１が設けられている。
【００７６】
また、中間転写ベルト３２を挟んで像保持体３４の反対側には、像保持体３４の表面に形成されたトナー画像を中間転写ベルト３２に転写するための一次転写部材４６が設けられている。さらに、像保持体３４から中間転写ベルト３２に転写されずに像保持体３４の表面に残留した残留トナー等を清掃するクリーニング装置４４が、像保持体３４の表面に接して、一次転写部材４６に対して像保持体３４の回転方向の下流側に設けられている。
【００７７】
つまり、画像形成ユニット３０は、像保持体３４と、帯電部材３６と、現像器４２と、クリーニング装置４４とを含んで構成されている。
【００７８】
一方、中間転写ベルト３２の上方には、イエロー（Ｙ）、マゼンタ（Ｍ）、シアン（Ｃ）、黒（Ｋ）の各色の現像器４２に、決められた色のトナーを供給するトナーカートリッジ３８Ｙ、３８Ｍ、３８Ｃ、３８Ｋが設けられている。そして、黒（Ｋ）色のトナーを収容したトナーカートリッジ３８Ｋは、使用頻度が高いため、他のカラーのトナーカートリッジと比較して大きくされている。
【００７９】
この構成により、画像処理装置２９又は外部から、イエロー（Ｙ）、マゼンタ（Ｍ）、シアン（Ｃ）、黒（Ｋ）の各色の画像データが露光装置４０に順次出力される。さらに、露光装置４０から画像データに応じて出射された光は、対応する像保持体３４の表面を露光し、像保持体３４の表面には静電潜像が形成される。像保持体３４の表面に形成された静電潜像は、現像器４２Ｙ、４２Ｍ、４２Ｃ、４２Ｋによって、それぞれイエロー（Ｙ）、マゼンタ（Ｍ）、シアン（Ｃ）、黒（Ｋ）の各色のトナー画像として現像される。
【００８０】
さらに、像保持体３４の表面に、順次形成されたイエロー（Ｙ）、マゼンタ（Ｍ）、シアン（Ｃ）、黒（Ｋ）の各色のトナー画像は、各色の画像形成ユニット３０Ｙ、３０Ｍ、３０Ｃ、３０Ｋの上方に傾斜して配置される中間転写ベルト３２上に、一次転写部材４６によって多重に転写される。
【００８１】
一方、中間転写ベルト３２の表面を清掃するクリーニング装置５２が、中間転写ベルト３２を挟んで駆動ロール４８の反対側に設けられており、このクリーニング装置５２は、装置本体１０Ａの前側（ユーザが立つ正面側）に設けられたフロントカバー（図示省略）を開放することで装置本体１０Ａに脱着自在とされている。
【００８２】
また、中間転写ベルト３２を挟んで支持ロール５０の反対側には、中間転写ベルト３２上に一次転写されたトナー画像を記録媒体としての記録シートＰに二次転写するための二次転写部材６０が配置されている。つまり、二次転写部材６０と支持ロール５０との間が記録シートＰへトナー画像を転写する二次転写位置とされている。
【００８３】
さらに、二次転写部材６０の上方には、二次転写部材６０によってトナー画像が転写されて搬送経路６２に沿って搬送される記録シートＰにトナー画像を定着させる定着装置６４が設けられている。
【００８４】
図１２に示されるように、定着装置６４に対して記録シートＰの搬送方向の下流（以下単に「搬送方向下流」という）には、トナー画像が定着された記録シートＰを搬送する搬送ロール６６が設けられ、搬送ロール６６の搬送方向下流には、記録シートＰの搬送方向を切り替える切替ゲート６８が設けられている。
【００８５】
また、切替ゲート６８の搬送方向下流には、一の方向に切り替えられた切替ゲート６８によって案内される記録シートＰを第一排出部６９に排出させる第一排出ロール７０が設けられている。
【００８６】
さらに、切替ゲート６８の搬送方向下流には、他の方向に切り替えられた切替ゲート６８によって案内されて搬送ロール７３により搬送される記録シートＰを第二排出部７２に排出させる第二排出ロール７４と、記録シートＰを第三排出部７６に排出させる第三排出ロール７８が設けられている。
【００８７】
一方、装置本体１０Ａの下部であって、二次転写部材６０に対して記録シートＰの搬送方向の上流側（以下単に「搬送方向上流側」という）には、記録シートＰが収容される給紙部８０、８２、８４、８６が設けられ、各給紙部８０、８２、８４、８６には、サイズの異なる記録シートＰが収容されている。
【００８８】
さらに、各給紙部８０、８２、８４、８６には、収容された記録シートＰを各給紙部８０、８２、８４、８６から搬送経路６２に持ち出す給紙ロール８８が設けられ、給紙ロール８８の搬送方向の下流には、記録シートＰを一枚ずつ搬送する搬送ロール９０及び搬送ロール９２が設けられている。
【００８９】
また、搬送ロール９２に対して搬送方向下流には、記録シートＰを一端停止させ、決められたタイミングで二次転写位置へ送り出す位置合わせロール９４が設けられている。
【００９０】
一方、記録シートＰの両面に画像を形成させるために、記録シートＰを反転させて搬送する両面用搬送ユニット９８が二次転写位置の側方に設けられている。そして、両面用搬送ユニット９８には、搬送ロール７３を逆転させることで搬送される記録シートＰが送り込まれる反転経路１００が設けられている。さらに、反転経路１００に沿って複数個の搬送ロール１０２が設けられ、これらの搬送ロール１０２によって搬送される記録シートＰは表裏が反転された状態で、位置合わせロール９４に再度搬送される構成となっている。
【００９１】
また、両面用搬送ユニット９８の隣りには、折り畳み式の手差給紙部１０６が設けられている。そして、開放された折り畳み式の手差給紙部１０６から給紙される記録シートＰを搬送する給紙ロール１０８及び搬送ロール１１０、１１２が設けられており、搬送ロール１１０、１１２で搬送された記録シートＰは、位置合わせロール９４に搬送されるようになっている。
【００９２】
次に、露光装置４０がどのように装置本体２００Ａに取り付けられているかを説明する。
【００９３】
図１４、図１５、図１６に示されるように、筐体１２２の一端側に固定されたシャフト部材１３４の両端側は、装置本体１０Ａに設けられた２個の取付具１５０によって装置本体１０Ａ（図１２参照）に取り付けられている。
【００９４】
なお、図１４においては、図４に示した基板３００及び把持部３２４等の図示は省略している。
【００９５】
図１９、図２０に示されるように、取付具１５０は、シャフト部材１３４を支持する支持部材１５２と、この支持部材１５２に固定されると共に支持部材１５２に支持されたシャフト部材１３４を上方から支持部材１５２に向けて押し付ける押付部材１５４とを備えている。そして、この押付部材１５４は、筐体１２２側が開放されており、さらに、シャフト部材１３４を直に支持部材１５２に向けて押し付けるバネ鋼で成形された押付部１５４Ａと、この押付部１５４Ａを保持する保持部１５４Ｂとを備えている。
【００９６】
これに対し、図１４、図１５、図１６に示されるように、筐体１２２の他端側に固定されたシャフト部材１４６の両端側は、装置本体１０Ａ（図１２参照）に設けられた２個の取付具１６０によって装置本体１０Ａに取り付けられている。
【００９７】
詳細には、図１９、図２１に示されるように、取付具１６０は、シャフト部材１４６を支持するＵ溝１６２Ａが形成された支持部材１６２と、この支持部材１６２にボルト１６６で固定されると共に支持部材１６２に支持されたシャフト部材１４６を上方から支持部材１６２に向けて押し付ける押付部材１６４とを備えている。
【００９８】
そして、この押付部材１６４は、シャフト部材１４６を直に支持部材１６２に向けて押し付けるバネ鋼で成形された押付部１６４Ａと、この押付部１６４Ａを保持する保持部１６４Ｂとを備えている。
【００９９】
このように、シャフト部材１３４及びシャフト部材１４６をそれぞれ取付具１５０及び取付具１６０に取り付けることで露光装置４０が装置本体１０Ａに取り付けられるようになっている。
【０１００】
次に、この露光装置４０を装置本体１０Ａに装着する方法について説明する。
【０１０１】
図１３、図１７に示されるように、露光装置４０は、装置本体１０Ａの電源部４１側の側壁に設けられた図示せぬカバーを開放することで、側方から装置本体１０Ａに装着するようになっている。
【０１０２】
詳細には、露光装置４０の一端側から装置本体１０Ａに挿入するようになっている。つまり、図１７に示されるように、筐体１２２の一端側に固定されたシャフト部材１３４を支持部材１５２と押付部材１５４との間に差し込むように、側方から露光装置４０を装置本体１０Ａ内に挿入する。
【０１０３】
さらに、図１８に示されるように、シャフト部材１３４を支持部材１５２と押付部材１５４の間に差し込んだ後に、筐体１２２の他端側に固定されたシャフト部材１４６を支持部材１６２のＵ溝１６２Ａに挿入する。
【０１０４】
また、図１９に示されるように、Ｕ溝１６２Ａにシャフト部材１４６を挿入後、押付部材１６４を支持部材１６２にボルト１６６にて固定する。これにより、第２の傾斜角度で露光装置４０が装置本体１０Ａに取り付けられる。
【０１０５】
ここで、例えば装置本体１０Ａの筐体が金属の部材により構成し、支持部材１６２も金属の部材で構成した場合には、シャフト部材１４６が金属性の支持部材１６２に支持されることにより、基板３００の接地用電極３０２は、ハーネス３１２及びシャフト部材１４６を介して装置本体１０Ａの筐体にフレームグランドとして接地される。この場合、押付部材１６４は金属の部材で構成してもよいし、樹脂の部材で構成してもよい。
【０１０６】
また、例えば、装置本体１０Ａの筐体が樹脂の部材により構成し、支持部材も樹脂の部材で構成した場合には、押付部材１６４を金属の部材で構成することにより、基板３００の接地用電極３０２がハーネス３１２及びシャフト部材１４６を介して装置本体１０Ａの筐体にフレームグランドとして接地される。
【０１０７】
このように、露光装置４０を装置本体１０Ａに装着することにより、基板３００の接地用電極３０２がハーネス３１２及びシャフト部材１４６を介して装置本体１０Ａの筐体にフレームグランドとして接地される。
【０１０８】
なお、露光装置４０を装置本体１０Ａから取り外す場合は、装着の場合と逆の作業を行えばよい。
【０１０９】
以上、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、基板３００に設けられた接地用電極３０２とシャフト部材１４６とがハーネス３１２によって接続された構成について説明したが、これに限らず、例えば図２２に示したように、金属製の板ばね３３０により基板３００に設けられた接地用電極３０２とシャフト部材１４６とを接続するようにしてもよい。
【符号の説明】
【０１１０】
１０          画像形成装置
１０Ａ        装置本体
３０          画像形成ユニット
３２          中間転写ベルト
３４          像保持体
４０          露光装置（光走査装置の一例）
４１          電源部
１２０        光学系（走査手段の一例）
１２４        ポリゴンミラー（走査手段の一例）
１２２        筐体
１３２        最下端部
１３４        シャフト部材
１４０        仮想延長面
１４２        仮想延長面
１４６        シャフト部材（取り付け部材の一例）
１５０        取付具
１６０        取付具
２００        画像形成装置
２００Ａ      装置本体
２０４        像保持体
２０８        画像形成ユニット
２１０        中間転写ベルト
２２８        電源部
２３０        取付具
２４０        取付具
３００        基板
３１２        ハーネス（導通部材の一例）
３２０        開閉部（開閉手段の一例）
【図１】
0005387353.tif 000002
【図２】
0005387353.tif 000003
【図３】
0005387353.tif 000004
【図４】
0005387353.tif 000005
【図５】
0005387353.tif 000006
【図６】
0005387353.tif 000007
【図７】
0005387353.tif 000008
【図８】
0005387353.tif 000009
【図９】
0005387353.tif 000010
【図１０】
0005387353.tif 000011
【図１１】
0005387353.tif 000012
【図１２】
0005387353.tif 000013
【図１３】
0005387353.tif 000014
【図１４】
0005387353.tif 000015
【図１５】
0005387353.tif 000016
【図１６】
0005387353.tif 000017
【図１７】
0005387353.tif 000018
【図１８】
0005387353.tif 000019
【図１９】
0005387353.tif 000020
【図２０】
0005387353.tif 000021
【図２１】
0005387353.tif 000022
【図２２】
0005387353.tif 000023